(57)【要約】      （修正有）【課題】ボトル入り飲料その他の物品を手軽に加温することができる加温袋の提供。【解決手段】筒状袋内へ加温筒を嵌挿固定し、加温筒底へ発熱プレートを設置すると共に、加温筒の下部へ電池ボックスを収容し、電池ボックス内へ収容した電池が、発熱プレートへ繋がるようにしてあることを特徴とした加温袋、又は筒状袋内へ加温筒を嵌挿固定し、加温筒底へ発熱プレートを設置すると共に、前記加温筒の下部へ電池ボックスを収容し、筒状袋の外側に持紐をつけ、袋の口部に口締具を設けた加温袋。【選択図】図１
0003118060.tif 000002
【実用新案登録請求の範囲】
【請求項１】
筒状袋内へ加温筒を嵌挿固定し、前記加温筒底へ発熱プレートを設置すると共に、前記加温筒の下部へ電池ボックスを収容し、前記電池ボックス内へ収容した電池が、前記発熱プレートへ繋がるようにしてあることを特徴とした加温袋。
【請求項２】
筒状袋内へ加温筒を嵌挿固定し、前記加温筒底へ発熱プレートを設置すると共に、前記加温筒の下部へ電池ボックスを収容し、前記筒状袋の外側に持紐をつけ、前記袋の口部に口締具を設けたことを特徴とする加温袋。
【請求項３】
筒状袋内へ加温筒を嵌挿固定し、前記加温筒底へ発熱プレートを設置すると共に、前記加温筒の下部へ電池ボックスを収容し、前記筒状袋の外側に持紐をつけ、前記袋の口部に口締具を設け、前記加温筒の材質は熱反射素材としたことを特徴とする加温袋。
【請求項４】
筒状袋内へ加温筒を嵌挿固定し、前記加温筒底へ発熱プレートを設置すると共に、前記加温筒の下部へ電池ボックスを収容し、前記筒状袋の外側に持紐をつけ、前記袋の口部に口締具を設け、前記発熱プレートは、発熱素子の外側へ、伝熱性の高い熱素子プレートを被冠したことを特徴とする加温袋。
【請求項５】
筒状袋内へ加温筒を嵌挿固定し、前記加温筒底へ発熱プレートを設置すると共に、前記加温筒の下部へ電池ボックスを収容し、前記袋の口部に締り紐を設け、袋の胴部に、紐用環及びバンド用環を取付けたことを特徴とする加温袋。
【考案の詳細な説明】
【技術分野】
【０００１】
この考案は、主としてお茶、コーヒー、紅茶などの飲料その他の物品を詰めた壜、缶、その他の容器を収容し、これを外部から加温して、飲料などを一定時間、所定温度に保つことを目的とした加温袋に関する。
【背景技術】
【０００２】
従来携帯用飲料容器としては、水筒、魔法壜などが一般的に知られており、ボトルなどの携帯具も提案されている。
【０００３】
また電池を熱源として、積極加温する簡易保温器も提案されている。
【特許文献１】特許第３５３３８５３号
【特許文献２】実開平７−１５５７１号
【考案の開示】
【考案が解決しようとする課題】
【０００４】
前記水筒は保温性に乏しく、外気に支配され易い問題点がある。また魔法壜は、冷暖共に長持ちする（定温保存）特性がある反面、加温の効果はなく、加温した湯を入れて、温度低下を防止する機能を有する。また真空層を設けたり、鏡面仕上げをする必要上、比較的高価であって、重く、かつ外形の大きい割に有効内容量が少ないなどの問題点がある。
【０００５】
また従来知られている加温器は、加温すべき液体を直接収容する形式であって、加温器の内部を清潔に保有しなければならないのみならず、購入したボトルなどをそのまま加温できない問題点があった。更には、加温器の携帯利便性及び内容物を呑み又は使用する場合の簡便性については、余り配慮がないなどの問題点があった。
【課題を解決するための手段】
【０００６】
この考案は、持紐付の袋内へ加温筒を嵌挿固定し、前記加温筒の内部底へ発熱素子を設置すると共に、前記袋内底部へ、電池収容面を収容して、前記従来の問題点を解決したのである。
【０００７】
即ちこの考案は、筒状袋内へ加温筒を嵌挿固定し、前記加温筒底へ発熱プレートを設置すると共に、前記加温筒の下部へ電池ボックスを収容し、前記電池ボックス内へ収容した電池が、前記発熱プレートへ繋がるようにしてあることを特徴とした加温袋であり、筒状袋内へ加温筒を嵌挿固定し、前記加温筒底へ発熱プレートを設置すると共に、前記加温筒の下部へ電池ボックスを収容し、前記筒状袋の外側に持紐をつけ、前記袋の口部に口締具を設けたことを特徴とする加温袋である。
【０００８】
また他の考案は、筒状袋内へ加温筒を嵌挿固定し、前記加温筒底へ発熱プレートを設置すると共に、前記加温筒の下部へ電池ボックスを収容し、前記筒状袋の外側に持紐をつけ、前記袋の口部に口締具を設け、前記加温筒の材質は熱反射素材としたことを特徴とする加温袋であり、筒状袋内へ加温筒を嵌挿固定し、前記加温筒底へ発熱プレートを設置すると共に、前記加温筒の下部へ電池ボックスを収容し、前記筒状袋の外側に持紐をつけ、前記袋の口部に口締具を設け、前記発熱プレートは、発熱素子の外側へ、伝熱性の高い熱素子プレートを被冠したことを特徴とする加温袋である。次に他の考案は、筒状袋内へ加温筒を嵌挿固定し、前記加温筒底へ発熱プレートを設置すると共に、前記加温筒の下部へ電池ボックスを収容し、前記袋の口部に締り紐を設け、袋の胴部に、紐用環及びバンド用環を取付けたことを特徴とする加温袋である。
【０００９】
前記のように、この考案は、加温器を目的としたものであるが、固体の食品でも加温することができるので、その使用を妨げない。
【００１０】
またこの考案の熱源は電池であり、加熱回路を設置し、ＯＮ、ＯＦＦスイッチを介在させることは当然であるが、スイッチを２つ介在させ、一方は手動、一方は自動とすることができる。
【００１１】
前記自動の場合には、被加熱物の自重によるスイッチとして、ボトルなどを収容すると回路が完結できるようにする。この場合には、予定しない時に加温されるおそれがあるので、例えば液量により、残液が小ボトルの１／３以下（例えば３０ｃｃ以下）の場合にはＯＮできないようにすることも一方法である。
【００１２】
電池の場合には、全発熱量の上限があるので、不必要の発熱は避けるべく考慮することが好ましい。その為に温度センサーをおいて、設定値（例えば２０℃〜４０℃）に自動制御することもできる。
【考案の効果】
【００１３】
この考案によれば、例えば市販の飲料ボトルをそのまま収容し、これを所定の温度に加温し得る効果がある。
【００１４】
また積極加温であるから、収容器の外気温度に関係なく、内容物を所定の温度に加温できる効果がある。
【考案を実施するための最良の形態】
【００１５】
この考案は、布製の筒状袋内へ、加温筒を嵌挿固定し、前記加温筒内へ発熱プレートを設置すると共に、前記加温筒の下部へ、電池ボックスを収容して、所定の電池（例えば単三２本〜４本）を入れる。前記筒状袋の外側には、吊紐（持紐）をつける紐用環及びバンド用環を取付けて提げたり、他物（例えばバンド）に取付けて携帯できるようにしてある。
【００１６】
また電池ボックスの収容部は、袋の下部へ、有底筒袋をファスナーで開口できるようにしてある。
【実施例１】
【００１７】
この考案の実施例を図について説明すると、ナイロン繊維製の筒状袋１内へ、アクリル綿よりなる筒体の内側にアルミ箔をラミネイト（又は蒸着）した有底の加温筒２を嵌挿固定し、前記加温筒２の内底部へ、発熱素子３を設置し、該発熱素子３上へ、アルミ製の熱素子プレートを被冠し、固定リング１８で固定する。前記筒状袋１の下口部には、蓋５ａと函５ｂよりなる電池ボックス５を収容するナイロン繊維製の有底筒６の口部をファスナー７で、開閉可能に連結してある。前記電池ボックス５内には、電池８を収容し、リード線９に通電できるようにしてあり、この考案の加温袋１０ができる。
【００１８】
前記加温袋１０は、紐環１１に紐１２を通して吊り下げ、手持ちなどで携帯し、又はバンド環１３にバンド１４を通して、他物へ固定する（例えば腰バンドへ取付けることもできる）。
【００１９】
前記加温袋１０を使用するには、口部１ａの紐１５を弛め、加温筒２内へ、飲料ボトル１６を収容し、袋口を締めて、スイッチ１７をＯＮすれば、自動的に加温する。
【００２０】
この実施例の場合には、温度センサーをつけてないが、温度センサーによって自動温度調節できるようにすることもできる。
【００２１】
前記実施例によれば、筒状袋内に加温筒２を嵌挿し、前記加温筒２内へボトル１６入り飲料水を収容して、そのまま加温すること及びその熱源を電池に求めた点に特徴がある。従って野外などにおいて、コンロ、その他の器具がない場合であっても、所定温度の液体（飲料水、ジュース、コーヒー、紅茶その他）を得ることができると共に、携帯容易であり、従来使用されていた水筒、魔法壜などに見られない特徴がある。
【００２２】
前記実施例は、ボトル１６入り飲料水の加温について述べたが、飲料水以外の食品その他の物品を加温することもできる。
【図面の簡単な説明】
【００２３】
【図１】この考案の実施例の開口斜視図。
【図２】同じく閉口斜視図。
【図３】（ａ）同じく一部断面図、（ｂ）同じく電池ボックス及び固定リングの斜視図、（ｃ）同じく固定リングを熱素子プレートの一部を断面した正面図、（ｄ）同じく熱素子プレートの正面図、（ｅ）同じく熱素子プレートの一部を破切した斜視図、（ｆ）同じく電池の配列を示す図。
【符号の説明】
【００２４】
１  筒状袋
２  加温筒
３  発熱素子
４  熱素子プレート
５  電池ボックス
６  有底筒
７  ファスナー
８  電池
９  リード線
１０  加温袋
１１  紐環
１２、１５  紐
１３  バンド環
１４  バンド
１６  飲料ボトル
【図１】
0003118060.tif 000003
【図２】
0003118060.tif 000004
【図３】
0003118060.tif 000005